(57)【要約】  【課題】  接触通信・非接触通信に対応したデバイスにおいて、接触通信が停止し供給電源が接地ＧＮＤレベルであった場合、非接触通信か実施されていても内部回路に安定した電源を供給できない。  【解決手段】  接触通信・非接触通信の通信状況および電源供給状況を検知し、接触通信電源供給端子を内部回路と分離・接続させることで、安定した電源を内部回路に供給する。【選択図】  図１
2008005564.tif 000002
【特許請求の範囲】
【請求項１】
外部から電圧を印加される接触端子と、
前記接触端子と同電位の第１の電源電圧を検出する電圧検出回路と、
電磁波により誘導起電力を発生するアンテナと、
前記誘導起電力を整流する整流回路と、
前記整流回路の動作状態を検出する整流動作検出回路と、
前記第１の電源電圧と前記整流回路から発生する第２の電源電圧を分離する電源分離回路と、
前記電圧検出回路の出力と前記整流動作検出回路の出力から前記電源分離回路の状態を制御する状態制御回路と、
を備えたことを特徴とする電源制御回路。
【請求項２】
請求項１において、前記第１の電源電圧と接地ＧＮＤレベルを接続する抵抗、を備えたことを特徴とする電源制御回路。
【請求項３】
外部から電圧を印加される接触端子と、
前記接触端子と同電位の第１の電源電圧を検出する電圧検出回路と、
前記第１の電源電圧を変化させ第３の電源電圧を出力する電源電圧調整回路と、
電磁波により誘導起電力を発生するアンテナと、
前記誘導起電力を整流する整流回路と、
前記整流回路の動作状態を検出する整流動作検出回路と、
前記第３の電源電圧と前記整流回路から発生する第２の電源電圧を分離する電源分離回路と、
前記電圧検出回路の出力と前記整流動作検出回路の出力から前記電源分離回路の状態を制御する状態制御回路と、
を備えたことを特徴とする電源制御回路。
【請求項４】
請求項３において、前記第１の電源電圧と接地ＧＮＤレベルを接続する抵抗、を備えたことを特徴とする電源制御回路。
【請求項５】
請求項３において、前記第３の電源電圧と接地ＧＮＤレベルを接続する抵抗、を備えたことを特徴とする電源制御回路。
【請求項６】
外部から電圧を印加される接触端子と、
電磁波により誘導起電力を発生するアンテナと、
前記誘導起電力を整流し第５の電源電圧を出力する整流回路と、
前記接触端子と同電位である第４の電源電圧と第５の電源電圧を接続するダイオードと、
を備えたことを特徴とする電源制御回路。
【請求項７】
外部から電圧を印加される接触端子と、
前記接触端子と同電位である第６の電源電圧を変化させ第７の電源電圧を出力する電源電圧調整回路と、
電磁波により誘導起電力を発生するアンテナと、
前記誘導起電力を整流し前記第７の電源電圧を出力する整流回路と、
を備えたことを特徴とする電源制御回路。
【請求項８】
請求項７において、前記第６の電源電圧と接地ＧＮＤレベルを接続する抵抗、を備えたことを特徴とする電源制御回路。
【発明の詳細な説明】
【技術分野】
【０００１】
本発明は、複数の電源を備えた内部回路に対し、安定した電源を供給する電源制御回路に関する。
【背景技術】
【０００２】
携帯電話等において、挿入したメモリカードが、導通する金属端子同士を物理的に接触させた接触式通信（以下接触通信とする）を外部ホストと行いつつ、同時に別の外部ホストと電磁波を用いた非接触式通信（以下非接触通信とする）を実施するという、複数のインターフェースによる同時通信を実現する場合、メモリカードコントローラへの電源供給系統も複数存在する。
【０００３】
図２は従来のメモリカードコントローラの電源回路構成を示しており、接触端子１１とアンテナ１３、整流回路１４、内部回路１９から構成されている。接触端子１１は接触通信時に電源電圧を印加される端子を示す。アンテナ１３は非接触通信に対応したホストより発生される電磁波により、誘導起電力を発生する。整流回路１４は前述の発生させた誘導起電力を整流する回路を示す。内部回路１９はメモリカードコントローラとしてデータを処理する記憶演算回路を示し、この内部回路１９に対し通信状態に左右されずに安定した電源電圧を供給することが必要である。
【０００４】
以上のように構成された電源回路について、その動作の概要を説明する。接触通信時には、接触端子１１に印加された電圧が、電源電圧２１として内部回路１９に供給される。非接触通信時にはアンテナ１３にて発生された誘導起電力を整流回路１４にて整流する。図３はアンテナ１３および整流回路１４の具体的な構成例を示している。アンテナ１３にて発生した誘導起電力（交流電圧）は図３におけるダイオード３１によって、プラス成分の電圧に変換され、また平滑容量３２によって平坦化される。この平坦化された電圧は、シャントレギュレータ３３によって一定の電圧にクランプされ、図１の電源電圧２１として出力され、内部回路１９に供給される。
【０００５】
この際、接触通信を実施している状態で、非接触通信が開始され、その後非接触通信が実施されている状態のまま、接触通信が停止するという通信状況も想定される。前述の通信状態において内部回路へ供給される電源電圧は、接触端子１１より供給されている状態から、非接触通信開始と同時に接触端子１１および整流回路１４の両者より供給される。さらに接触通信が停止した段階で、電源電圧は整流回路１４からのみの供給となる。
この非接触通信が実施中で接触通信が停止という通信状態において、接触端子１１に印加される電圧は任意の電圧となる。これは例えば接触通信を携帯電話と行う場合、電池切れによる接触通信停止を想定しているためである。
【特許文献１】特開２０００−１２３１４０号公報
【発明の開示】
【発明が解決しようとする課題】
【０００６】
上記従来の構成においては、非接触通信時に接触通信が停止し、接触端子１１に内部回路１９が動作に必要な電圧以下の電源電圧（たとえば接地ＧＮＤレベル）が印加されている場合、整流回路１４より供給されている電源電圧と接触端子１１の電源電圧が衝突し、内部回路１９に対して安定した電源電圧を供給することができない。
【課題を解決するための手段】
【０００７】
上記課題を解決するために、請求項１の発明が講じた解決手段は、外部から電圧を印加される接触端子と、前記接触端子と同電位の第１の電源電圧を検出する電圧検出回路と、電磁波により誘導起電力を発生するアンテナと、前記誘導起電力を整流する整流回路と、前記整流回路の動作状態を検出する整流動作検出回路と、前記第１の電源電圧と前記整流回路から発生する第２の電源電圧を分離する電源分離回路と、前記電圧検出回路の出力と前記整流動作検出回路の出力から前記電源分離回路の状態を制御する状態制御回路と、を備えたことを特徴とする電源制御回路によって構成されている。
【０００８】
また請求項２の発明が講じた解決手段は、請求項１において、前記第１の電源電圧と接地ＧＮＤレベルを接続する抵抗、を備えたことを特徴とする電源制御回路によって構成されている。
【０００９】
また請求項３の発明が講じた解決手段は、外部から電圧を印加される接触端子と、前記接触端子と同電位の第１の電源電圧を検出する電圧検出回路と、前記第１の電源電圧を変化させ第３の電源電圧を出力する電源電圧調整回路と、電磁波により誘導起電力を発生するアンテナと、前記誘導起電力を整流する整流回路と、前記整流回路の動作状態を検出する整流動作検出回路と、前記第３の電源電圧と前記整流回路から発生する第２の電源電圧を分離する電源分離回路と、前記電圧検出回路の出力と前記整流動作検出回路の出力から前記電源分離回路の状態を制御する状態制御回路と、を備えたことを特徴とする電源制御回路によって構成されている。
【００１０】
また請求項４の発明が講じた解決手段は、請求項３において、前記第１の電源電圧と接地ＧＮＤレベルを接続する抵抗、を備えたことを特徴とする電源制御回路によって構成されている。
【００１１】
また請求項５の発明が講じた解決手段は、請求項３において、前記第３の電源電圧と接地ＧＮＤレベルを接続する抵抗、を備えたことを特徴とする電源制御回路によって構成されている。
【００１２】
また請求項６の発明が講じた解決手段は、外部から電圧を印加される接触端子と、
電磁波により誘導起電力を発生するアンテナと、前記誘導起電力を整流し第５の電源電圧を出力する整流回路と、前記接触端子と同電位である第４の電源電圧と第５の電源電圧を接続するダイオードを備えたことを特徴とする電源制御回路によって構成されている。
【００１３】
また請求項７の発明が講じた解決手段は、外部から電圧を印加される接触端子と、
前記接触端子と同電位である第６の電源電圧を変化させ第７の電源電圧を出力する電源電圧調整回路と、電磁波により誘導起電力を発生するアンテナと、前記誘導起電力を整流し前記第７の電源電圧を出力する整流回路と、を備えたことを特徴とする電源制御回路によって構成されている。
【００１４】
また請求項８の発明が講じた解決手段は、請求項７において、前記第６の電源電圧と接地ＧＮＤレベルを接続する抵抗、を備えたことを特徴とする電源制御回路によって構成されている。
【発明の効果】
【００１５】
本発明は前記構成を取ることにより、接触通信が停止し非接触通信が実施されているとき、接触通信用電源端子に接地ＧＮＤレベルの電圧が印加されていても、内部回路に対して安定した電源電圧を供給することができる。
【発明を実施するための最良の形態】
【００１６】
以下、本発明の実施の形態について、図面を参照しながら説明する。
【００１７】
（実施の形態１）
図１は、本発明の第１の実施形態にかかわる電源制御回路の構成図である。図１の接触端子１１は外部より電圧を印加される端子を示し、印加された電圧は第１の電源電圧１６を介して電源分離回路１Ａに電源電圧を供給する。電圧検出回路１２は前述の第１の電源電圧１６の電圧が一定レベル以上になったことを検出する検出回路を示している。一方、アンテナ１３は非接触通信に対応したホストより発生される電磁波により、誘導起電力を発生する。整流回路１４は前述の発生させた誘導起電力を整流し、第２の電源電圧１７を介して、内部回路１９に電源電圧を供給する。整流動作検出回路１５は前述の整流回路１４が整流動作を実施していることを検出する回路を示す。状態制御回路１８は電圧検出回路１２より発生した電圧検出信号１Ｂと、整流動作検出回路１５より発生した動作検出信号１Ｃとを用いて、電源分離回路１Ａを制御する回路を示す。電源分離回路１Ａは状態制御回路１８からの電源分離回路制御信号１Ｄを受けて第１の電源電圧１６と第２の電源電圧１７の分離・導通を行う回路を示す。
【００１８】
以上の構成を成す電源制御回路の動作を以下に説明する。まず、接触端子１１より電源電圧が印加される接触通信が実施され、非接触通信が停止している状態について動作説明をする。
【００１９】
接触通信開始時に、図示されていない外部接触通信対応ホストより電源電圧が接触端子１１に印加され、前述の電源電圧は接触端子１１を介して第１の電源電圧１６に伝播、電源分離回路１Ａに印加される。一方、非接触通信は行われていないため、アンテナ１３に対して電磁波は発生しておらず、誘導起電力は発生しない。これにより、図３に示すダイオード３１がアンテナ１３への逆流を停止し、整流回路１４から第２の電源電圧１７に対する出力はフローティングとなる。このような状態における電源分離回路１Ａの動作を説明する。図５は電源分離回路１Ａの回路内部を示している。第１の電源電圧１６および第２の電源電圧１７をソース・ドレインとし、基板電圧を第２の電源電圧１７としたＰＭＯＳトランジスタ５１と、第１の電源電圧１６と電源分離回路制御信号１Ｄを入力し、出力を前述のＰＭＯＳトランジスタ５１ゲートに接続したＮＡＮＤ５２によって構成されている。図２における第１の電源電圧が徐々に上昇していき、ＰＭＯＳトランジスタ５１のソース・基板間のＰＮ接合閾値以上に電圧が上昇した際、第１の電源電圧１６はＰＭＯＳトランジスタ５１のソース・基板を介して第２の電源電圧１７に伝播する。これにより、第１の電源電圧１６の上昇に伴い、第２の電源電圧１７をもって動作する演算素子が正常に動作し始める。
【００２０】
この時、図１の電圧検出回路１２は第１の電源電圧１６が一定レベル以上になった時点より”Ｈ”を電圧検出信号１Ｂとして出力する。一定レベル以下になっている場合は”Ｌ”を出力する。前述の一定レベルは内部回路１９が正常動作可能な電源電圧レベルとする。
【００２１】
一方、非接触通信は行われていないため、アンテナ１３に対して電磁波は発生しておらず、誘導起電力は発生しない。これにより、整流動作検出回路１５は整流回路１４が動作していないことを受けて、”Ｌ”を整流動作検出信号１Ｃとして出力し、状態制御回路１８に伝播させる。
【００２２】
状態制御回路１８は電圧検出信号１Ｂおよび整流動作検出信号１Ｃを受けて、演算を行い、電源分離回路制御信号１Ｄとして電源分離回路１Ａに信号を出力する。図４は状態制御回路１８の具体的な回路例を示している。前記状況より、図４において整流動作検出信号１Ｃが”Ｌ”、電圧検出信号１Ｂが”Ｈ”、第１の電源電圧１６は”Ｈ”となっており、また第２の電源電圧１７が演算素子が動作する電圧に達していることから、電源分離回路制御信号１Ｄは”Ｈ”に固定される。
【００２３】
前記電源分離回路制御信号１Ｄを受けて、図５におけるゲート制御信号５２は”Ｈ”となり、ＰＭＯＳトランジスタ５１のソース・ドレインが導通状態となる。これにより、第１の電源電圧１６は第２の電源電圧１７と完全に導通状態となり、図１における接触端子１１に印加された電圧は内部回路１９に安定して供給されることが可能となる。
【００２４】
次に、接触通信が継続された状態で、非接触通信が開始された状況における電源制御回路の動作を説明する。
【００２５】
図示していない非接触通信に対応したホストより発信された電磁波により、アンテナ１３にて誘導起電力が発生し、整流回路１４を介して、第２の電源電圧１７に電圧が供給される。アンテナ１３および整流回路１４の動作については従来の技術に記載されている通りであるため、ここでは記述しない。整流回路１４が動作していることを受け、整流動作検出回路１５より整流動作検出信号１Ｃとして”Ｈ”が状態制御回路１８に入力される。これに対し、接触通信も継続して行われていることから、電圧検出回路１２において変化はなく、電圧検出信号１Ｂは依然”Ｈ”のままとなる。図４に示す状態制御回路１８においては、電圧検出信号１Ｂが”Ｈ”であることから、電源分離回路１Ａに出力される電源分離回路制御信号１Ｄは”Ｈ”のままであり、電源分離回路１Ａにおいて、第１の電源電圧１６と第２の電源電圧１７は同通状態のままとなる。
【００２６】
次に、前述の接触通信および非接触通信が実施されている状態から、接触通信が停止し、非接触通信のみ継続される状況における電源制御回路の動作について説明する。
【００２７】
接触通信が停止することにより、図示されていない接触通信に対応した外部ホストからの電源供給が停止し、図１の接触端子１１へ印加される電源電圧はフローティングもしくは接地ＧＮＤレベルとなる。
【００２８】
従来の技術においては、図２において接触端子１１が接地ＧＮＤレベルに印加される場合、アンテナ１３および整流回路１４より供給される電源電圧２１と、接触端子１１に印加される接地ＧＮＤレベルとで衝突を起こし、内部回路１９に対して安定した電源を供給することが不可能となる。
【００２９】
これに対し本第一の実施例においては、以下の動作をすることにより、前述の課題を回避することができる。
【００３０】
接触端子１１に印加される電源電圧が低下することにより、第１の電源電圧１６もそれに準じて低下する。この電源電圧の低下を電圧検出回路１２が検知し、電圧検出信号１Ｂを”Ｌ”に変化させる。この際、電圧検出回路１２が検知する電圧レベルは内部回路１９が動作可能な電圧レベルに設定する。
【００３１】
一方、非接触通信は継続しているため、整流動作検出信号１Ｃは”Ｈ”のままである。この電圧検出信号１Ｂが”Ｌ”、整流動作検出信号１Ｃが”Ｈ”であることで、図４に示す状態制御回路１８において、電源分離回路制御信号１Ｄが”Ｌ”に変化する。この電源分離回路制御信号１Ｄが”Ｌ”に変化したことにより、図５に示す電源分離回路１Ａにおけるゲート制御信号５３が”Ｈ”となり、ＰＭＯＳトランジスタ５１によって第１の電源電圧１６と第２の電源電圧１７が分離される。
【００３２】
以上のように第１の電源電圧１６と第２の電源電圧１７が分離されることにより、接触端子１１に印加される電圧が接地ＧＮＤレベルとなった場合でも、第１の電源電圧１６第２の電源電圧１７が衝突を起こすことなく、整流回路１４より安定した電源電圧を内部回路１９に供給することができる。
【００３３】
次に非接触通信および接触通信が停止しており、電源電圧が供給されていない状態から非接触通信が開始した状況における電源制御回路の動作について説明する。
【００３４】
図示していない非接触通信に対応したホストより発信された電磁波により、アンテナ１３にて誘導起電力が発生し、整流回路１４を介して、第２の電源電圧１７に電圧が供給される。アンテナ１３および整流回路１４の動作については従来の技術に記載されている通りであるため、ここでは記述しない。この際、第１の電源電圧１６は接触通信が開始されていないため、フローティング状態、もしくは接地ＧＮＤレベルとなっている。このような状態で第２の電源電圧１７が上昇するが、図５のＰＭＯＳトランジスタ５１においては、第１の電源電圧１６であるソースに対し、第２の電源電圧１７である基盤およびドレインへは導通しない。これにより、第２の電源電圧１７はこれにより駆動する演算回路が正常に動作するまで上昇する。第２の電源電圧１７が演算回路の正常動作可能なレベルまで上昇した時点で、図２における第１の電源電圧１６は接地ＧＮＤレベル付近であるため、ゲート制御信号５３は”Ｈ”レベルとなり、ＰＭＯＳトランジスタ５１において第１の電源電圧１６と第２の電源電圧１７が分離される。
【００３５】
以上のような動作により、第２の電源電圧１７は第１の電源電圧１６と衝突することなく、内部回路１９に対し安定した電源電圧を供給することができる。
【００３６】
好ましくは、図６に示すように、第１の電源電圧１６に接地ＧＮＤレベルに接続した抵抗を付与する。この抵抗は内部回路１９が正常に動作する程度の電流を流す抵抗とする。これにより、接触通信が実施されていない状態で、接触端子１１がフローティング状態であったとしても、第１の電源電圧１６を接地ＧＮＤレベルに確実に設定することができ、電源分離回路１Ａの誤動作を防ぐことができる。
【００３７】
また、好ましくは、図７の電源制御回路に示す通り、接触端子１１と第１の電源電圧１６の間にレギュレータ７１を挿入する。さらに電圧検出回路１２が検出する電圧を、図７おける第３の電源電圧７２とする。さらに、接触端子１１に印加する電圧、つまり第３の電源電圧７２を内部回路１９が正常に動作する電圧より高く設定し、レギュレータ７１によって第３の電源電圧７２を降圧し、第２の電源電圧１６に印加する構成とする。このような構成において、電圧検出回路１２が検出する電圧レベルを、第３の電源電圧７２以下かつ第２の電源電圧以上に設定する。例えば第３の電源電圧７２が３．３Ｖであり、第２の電源電圧１６が１．８Ｖであった場合、電圧検出回路１２の検出レベルを２Ｖに設定する。
【００３８】
このような構成において、接触通信が停止した瞬間、第３の電源電圧７２は電圧が低下し始めるが、内部回路１９に電圧を印加する第２の電源電圧１６はまだ低下しない。この段階で、電圧検出回路１２は接触通信が停止することを検出し、電源分離回路１Ａにおいて第２の電源電圧１７と第１の電源電圧を分離することで、内部回路１９に供給する電圧低下を防ぐ事が可能となる。
【００３９】
この際、図８の電源制御回路に示す通り、第１の電源電圧１６に接地ＧＮＤレベルに接続した抵抗８１を付与する。この抵抗８１は内部回路１９が正常に動作する程度の電流を流す抵抗とする。これにより、接触通信が実施されていない状態で、接触端子１１がフローティング状態であったとしても、第１の電源電圧１６を接地ＧＮＤレベルに確実に設定することができ、レギュレータ７１の誤動作を防ぐことができる。
【００４０】
また、さらに図９の電源制御回路に示す通り、第３の電源電圧７２に抵抗９１を付与する。この抵抗９１は内部回路１９が正常に動作する程度の電流を流す抵抗とする。これにより、接触通信が実施されていない状態で、レギュレータ７１が停止し、回路の構成によって出力がフローティングになる場合でも、第３の電源電圧７２を確実に接地ＧＮＤレベルに設定することができ、電源分離回路１Ａおよび状態制御回路１８の誤動作を防ぐことができる。
【００４１】
（実施の形態２）
図１０は、本発明の第２の実施形態にかかわる電源制御回路の構成図である。図１０の接触端子１１は外部より電圧を印加される端子を示し、第４の電源電圧１０３を介してダイオード１０１に接続する。ダイオード１０１の出力は第５の電源電圧１０２として内部回路８２に接続する。アンテナ１３および整流回路１４の構成については、従来例と同様であり、その出力を第５の電源電圧８２に接続する。
【００４２】
このような構成において、従来の技術では内部回路１９に安定した電源電圧を供給できない、接触通信が停止し非接触通信が継続されている状況における電源制御回路動作について説明する。
【００４３】
接触通信が停止しているため、接触端子１１に印加される電源電圧は接地ＧＮＤレベルもしくは印加されないフローティング状態となる。これにより、ダイオード１０１に入力される第４の電源電圧１０３は電源電圧は接地ＧＮＤレベルかそれに近い電圧となる。これに対し、非接触通信は実施されているため、アンテナ１３および整流回路１４により第５の電源電圧１０２には内部回路１９が動作可能な電源電圧が供給される。
【００４４】
この際、ダイオード１０１により、第５の電源電圧１０２に印加されている電源電圧は、第４の電源電圧１０３に流れ込むことはない。これにより、安定した電源電圧を内部回路１９に供給することができる。
【００４５】
（実施の形態３）
図１１は、本発明の第３の実施形態にかかわる電源制御回路の構成図である。図１１のクロック入力端子１１１は、図示されていない外部ホスト、もしくは内部で発生したクロック波形信号を入力される端子を示す。このクロック入力端子１１１に入力されたクロック波形信号は、クロック１１２を介してチャージポンプ１１４に入力される。接触端子１１は従来と同様、図示されていない外部ホストから電源電圧を印加される端子であり、第６の電源電圧１１３に印加された電源電圧を伝播する。第６の電源電圧１１３はチャージポンプ１１４に入力される。クロック１１２および第６の電源電圧１１３を入力されたチャージポンプ１１４は、その出力を第７の電源電圧１１５として内部回路１９に接続する。アンテナ１３および整流回路１４の構成については、従来例と同様であり、その出力を第７の電源電圧１１５に接続する。
【００４６】
以上の構成を成す電源制御回路の動作を以下に説明する。接触通信が開始されると、図１１における接触端子１１に対して図示していない外部ホストより電源電圧が印加される。この印加された電源電圧は第６の電源電圧１１３として、チャージポンプ１１４に印加される。一方クロック入力端子１１１より入力されるクロック波形信号はクロック１１２としてチャージポンプ１１４に入力される。
【００４７】
図１２はチャージポンプ１１４の回路例を示しており、クロック１１２より供給されるクロック波形信号により、第６の電源電圧１１３より上昇した電圧が第７の電源電圧１１５に印加される。印加された第７の電源電圧１１５は図１１の内部回路１９に電源電圧を供給する。
【００４８】
一方、非接触通信が開始された場合は、図示していない非接触通信に対応したホストより発信された電磁波により、図１１におけるアンテナ１３にて誘導起電力が発生し、整流回路１４を介して、第７の電源電圧１１５に電圧が供給される。アンテナ１３および整流回路１４の動作については従来の技術に記載されている通りであるため、ここでは記述しない。供給された第７の電源電圧１１５は内部回路１９に電源電圧を供給する。
【００４９】
この非接触通信が実施されている際に、接触通信が停止している場合、接触端子１１は接地ＧＮＤレベルかそれに近い電位となり、従来の技術では接触端子１１と同電位である第６の電源電圧１１３と第７の電源電圧１１５で電圧レベルの衝突を起こし、内部回路１９に対し安定した電源電圧を供給できなかった。
【００５０】
これに対し、本第３の実施例においては、チャージポンプ１１４を第６の電源電圧１１３と第７の電源電圧１１５の間に挿入しており、図１２の第７の電源電圧が接続されているＮＭＯＳトランジスタにより電圧レベルの衝突を避けられ、内部回路１９に対して安定した電源電圧を供給することができる。
【００５１】
好ましくは、図１３に示すように、第６の電源電圧１１３に接地ＧＮＤレベルに接続した抵抗１３１を付与する。この抵抗は内部回路１９が正常に動作する程度の電流を流す抵抗とする。これにより、接触通信が実施されていない状態で、接触端子１１がフローティング状態であったとしても、第６の電源電圧１１３を接地ＧＮＤレベルに確実に設定することができ、チャージポンプ１１４の誤動作を防ぐことができる。
【産業上の利用可能性】
【００５２】
本発明における電源制御回路は複数の通信インターフェースを持つＩＣカード等に対して有効である。
【図面の簡単な説明】
【００５３】
【図１】本発明の実施の形態１を表す電源制御回路を示す図
【図２】従来の電源制御回路を示す図
【図３】図１における整流回路１４の内部回路図
【図４】図１における状態制御回路１８の内部回路図
【図５】図１における電源分離回路１Ａの内部回路図
【図６】本発明の実施の形態１を表す電源制御回路を示す図
【図７】本発明の実施の形態１の別例を表す電源制御回路を示す図
【図８】本発明の実施の形態１の別例を表す電源制御回路を示す図
【図９】本発明の実施の形態１の別例を表す電源制御回路を示す図
【図１０】本発明の実施の形態２を表す電源制御回路を示す図
【図１１】本発明の実施の形態３を表す電源制御回路を示す図
【図１２】図１１におけるチャージポンプ１１４の内部回路図
【図１３】本発明の実施の形態３の別例を表す電源制御回路を示す図
【符号の説明】
【００５４】
１１  接触端子
１２  電圧検出回路
１３  アンテナ
１４  整流回路
１５  整流動作検出回路
１８  状態制御回路
１９  内部回路
２０  電源分離回路
６１  抵抗
７１  レギュレータ
８１  抵抗
９１  抵抗
１０１  ダイオード
１１４  チャージポンプ
【図１】
2008005564.tif 000003
【図２】
2008005564.tif 000004
【図３】
2008005564.tif 000005
【図４】
2008005564.tif 000006
【図５】
2008005564.tif 000007
【図６】
2008005564.tif 000008
【図７】
2008005564.tif 000009
【図８】
2008005564.tif 000010
【図９】
2008005564.tif 000011
【図１０】
2008005564.tif 000012
【図１１】
2008005564.tif 000013
【図１２】
2008005564.tif 000014
【図１３】
2008005564.tif 000015